(57)【特許請求の範囲】
【請求項１】
容器本体と、該容器本体上側を被覆する蓋体と、を具備する容器であって、
前記蓋体は、
内カール加工されてなる蓋体内カール部が上端に形成された筒状の蓋体側壁部と、
該蓋体内カール部に内側から当接してなる板状の天板部と、
を備え、
前記容器本体は、
内カール加工されてなる本体内カール部が下端に形成された筒状の容器本体側壁部と、
該容器本体側壁部の下端部に内嵌された底パーツと、
を具備し、
前記底パーツは、
一部が該容器本体側壁部の下端から露出し、かつ、内カール加工されてなる底内カール部が下端に形成されてなる筒状の小径側壁部と、
該底内カール部に内側から当接してなる板状の底板部と、
を備え、
前記蓋体内カール部における蓋体側壁部の内寸は、前記底内カール部における小径側壁部の外寸以上であり、
当該容器が上下に積み重ねられたとき、上側の容器の前記本体内カール部の下方に下側の容器の前記蓋体内カール部が位置し、かつ上側の容器の前記小径側壁部の底内カール部の下端の全周が、下側の容器の前記蓋体の天板部に当接してなり、
前記容器本体側壁部の上下両端に内カール加工されてなる本体内カール部が形成されており、
前記小径側壁部には、
前記容器本体側壁部の上端の本体内カール部の下端に当接する上側当接突部と、
前記容器本体側壁部の下端の本体内カール部の上端に当接する下側当接突部とが該容器本体側壁部に向かって突出するように設けられている
ことを特徴とする容器。
【請求項２】
前記容器本体側壁部には、前記小径側壁部の外周面が臨む視認可能部が設けられ、該視認可能部を介して前記小径側壁部の外周面が容器本体の外部から視認可能となっている
請求項１に記載の容器。
【請求項３】
容器本体と、該容器本体上側を被覆する蓋体と、を具備する容器であって、
前記容器本体は、
内カール加工されてなる本体内カール部が下端に形成された筒状の容器本体側壁部と、
該本体内カール部に内側から当接してなる板状の底板部と、
を備え、
前記蓋体は、
内カール加工されてなる蓋体内カール部が上端に形成された筒状の蓋体側壁部と、
該蓋体側壁部の上端部に内嵌された天頂パーツと、
を具備し、
前記天頂パーツは、
一部が該蓋体側壁部の上端から露出し、かつ、内カール加工されてなる天頂内カール部が上端に形成されてなる筒状の小径側壁部と、
該天頂内カール部に内側から当接してなる板状の天板部と、
を備え、
前記本体内カール部における容器本体側壁部の内寸は、前記天頂内カール部における小径側壁部の外寸以上であり、
当該容器が上下に積み重ねられたとき、上側の容器の前記本体内カール部の下方に下側の容器の前記蓋体内カール部が位置し、かつ下側の容器の前記小径側壁部の天頂内カール部の上端の全周が、上側の容器の前記容器本体の底板部に当接してなり、
前記蓋体側壁部の上下両端に内カール加工されてなる蓋体内カール部が形成されており、
前記小径側壁部には、
前記蓋体側壁部の上端の蓋体内カール部の下端に当接する上側当接突部と、
前記蓋体側壁部の下端の蓋体内カール部の上端に当接する下側当接突部とが該蓋体側壁部に向かって突出するように設けられている
ことを特徴とする容器。
【請求項４】
前記蓋体側壁部には、前記小径側壁部の外周面が臨む視認可能部が設けられ、該視認可能部を介して前記外周面が蓋体の外部から視認可能となっている
請求項３に記載の容器。
【請求項５】
前記容器が上下に積み重ねられた状態で、上側の容器の前記本体内カール部と、下側の容器の前記蓋体内カール部とが当接している
請求項１乃至請求項４のいずれか１項に記載の容器。
【発明の詳細な説明】
【技術分野】
【０００１】
本発明は、上下に積み重ねることが容易な容器に関する。
【背景技術】
【０００２】
例えば従来の紙製容器のなかには、側壁部の上下端部を内向きに巻き込んで内カール形状とし、当該カール部分に内側から天板及び底板を取り付けたものがある。
【０００３】
このような紙製容器にあって、底面と天頂面とが同一寸法かつ同一形状であるストレート紙管形状をなす場合は、上下に積み重ねると底側のカール部分と天頂側のカール部分とが線接触することとなって積み上げ時の安定性に劣るという問題がある。したがって、例えば紙製容器が商品として上下に積み重なって陳列されているところにユーザーが当該商品を一旦手にとった後、元の位置に戻そうとしても上手く積み重ねることができず、場合によっては陳列されている商品の山を崩してしまうことがある。
【０００４】
このような問題に対し、例えば特許文献１には、上下に段積みされる上側の紙管容器（紙製容器）における容器本体の筒状体に設けた下端突出部が、下側の紙管容器における蓋体の環状体に設けた上部保持部の内方に入るように設定されてなる紙管容器が開示されている。
【０００５】
なお、内カール部が形成された紙製容器は、美観に優れている上、当該容器を手にとった際に端部に触れて怪我をしないという利点もあり、更に紙製容器の強度も向上する利点もあるため、すでに広く採用されている。
【先行技術文献】
【特許文献】
【０００６】
【特許文献１】特開２０１５−１７８３８０号公報
【発明の概要】
【発明が解決しようとする課題】
【０００７】
しかしながら、上記特許文献１に開示された紙管容器にあっては、前記下端突出部とは別に底板を作製する必要があるため、金型が別途必要となってコスト高となる問題がある。
【０００８】
そこで本発明は、コスト高を抑制しつつ、上下に積み重ねた際の安定性に優れた容器を提供することを目的とする。
【課題を解決するための手段】
【０００９】
本発明は、容器本体と、該容器本体上側を被覆する蓋体と、を具備する容器であって、前記蓋体は、内カール加工されてなる蓋体内カール部が上端に形成された筒状の蓋体側壁部と、該蓋体内カール部に内側から当接してなる板状の天板部と、を備え、前記容器本体は、内カール加工されてなる本体内カール部が下端に形成された筒状の容器本体側壁部と、該容器本体側壁部の下端部に内嵌された底パーツと、を具備し、前記底パーツは、一部が該容器本体側壁部の下端から露出し、かつ、内カール加工されてなる底内カール部が下端に形成されてなる筒状の小径側壁部と、該底内カール部に内側から当接してなる板状の底板部と、を備え、前記蓋体内カール部における蓋体側壁部の内寸は、前記底内カール部における小径側壁部の外寸以上であり、当該容器が上下に積み重ねられたとき、上側の容器の前記本体内カール部の下方に下側の容器の前記蓋体内カール部が位置し、かつ上側の容器の前記小径側壁部の底内カール部の下端の全周が、下側の容器の前記蓋体の天板部に当接してなることを特徴とする容器である。
【００１０】
かかる構成にあっては、当該容器が上下に積み重ねられたとき、従来の容器と同様に上側の容器の前記本体内カール部の下方に下側の容器の前記蓋体内カール部が位置する。このため、仮に前記底パーツを備えない従来の容器の構造であると上下に積み重ねたときに前記本体内カール部と前記蓋体内カール部とが干渉して積み上げ時の安定性が損なわれる。
【００１１】
しかし、容器本体側壁部の下端部に底パーツを内嵌させて前記蓋体内カール部における蓋体側壁部の内寸を、前記底内カール部における小径側壁部の外寸以上とし、もって上側の容器の前記小径側壁部の底内カール部の下端の全周が、下側の容器の前記蓋体の天板部に当接するようにしたため、上下に積み重ねる際に崩れたりすることが抑制される。また、底パーツを有する構造を採用することで別部材を新たな金型で作製する必要がないため、無駄のない材料で容器を作製できる。
【００１２】
また、前記容器本体側壁部の上下両端に内カール加工されてなる本体内カール部が形成されており、前記小径側壁部には、前記容器本体側壁部の上端の本体内カール部の下端に当接する上側当接突部と、前記容器本体側壁部の下端の本体内カール部の上端に当接する下側当接突部とが該容器本体に向かって突出するように設けられている構成としてもよい。
【００１３】
かかる構成にあっては、前記上側当接突部が上側の本体内カール部に当接し、かつ、前記下側当接突部が下側の本体内カール部に当接することにより、前記底パーツが該容器本体に対して上下方向において位置決めされることとなる。このため、相互が脱離してしまうことを防止することができる。なお、かかる構成は、例えば、接着剤等を用いることなく該容器本体側壁部と該底パーツとを組み付けることができる。
【００１４】
また、前記容器本体側壁部には、前記小径側壁部の外周面が臨む視認可能部が設けられ、該視認可能部を介して前記小径側壁部の外周面が容器本体の外部から視認可能となっている構成が望ましい。
【００１５】
かかる構成にあっては、前記視認可能部から前記小径側壁部の外周面が外部から視認可能となるため、例えば、該小径側壁部の外周面に装飾を施して前記容器本体側壁部に施された装飾と合わせて奥行き感のある立体的な装飾とすることができる。また、例えば、小径側壁部の外周面にさらに内部が視認可能な視認可能部を設けた場合には、前記の利点に加えて内容物を視認可能部を介して視認可能とする構造も実現できる。
【００１６】
また本発明は、容器本体と、該容器本体上側を被覆する蓋体と、を具備する容器であって、前記容器本体は、内カール加工されてなる本体内カール部が下端に形成された筒状の容器本体側壁部と、該本体内カール部に内側から当接してなる板状の底板部と、を備え、前記蓋体は、内カール加工されてなる蓋体内カール部が上端に形成された筒状の蓋体側壁部と、該蓋体側壁部の上端部に内嵌された天頂パーツと、を具備し、前記天頂パーツは、一部が該蓋体側壁部の上端から露出し、かつ、内カール加工されてなる天頂内カール部が上端に形成されてなる筒状の小径側壁部と、該天頂内カール部に内側から当接してなる板状の天板部と、を備え、前記本体内カール部における容器本体側壁部の内寸は、前記天頂内カール部における小径側壁部の外寸以上であり、当該容器が上下に積み重ねられたとき、上側の容器の前記本体内カール部の下方に下側の容器の前記蓋体内カール部が位置し、かつ下側の容器の前記小径側壁部の天頂内カール部の上端の全周が、上側の容器の前記容器本体の底板部に当接してなることを特徴とする容器である。
【００１７】
かかる構成にあっては、下側の容器の前記小径側壁部の天頂内カール部の上端の全周が、上側の容器の前記容器本体の底板部に当接可能となるため、上下に積み重ねる際に崩れてしまうことが抑制される。また、天頂パーツを採用することで、別部材を新たな金型で作製する必要がないため、無駄のない材料で容器を作製できる。
【００１８】
さらに、前記蓋体側壁部の上下両端に内カール加工されてなる蓋体内カール部が形成されており、前記小径側壁部には、前記蓋体側壁部の上端の蓋体内カール部の下端に当接する上側当接突部と、前記蓋体側壁部の下端の蓋体内カール部の上端に当接する下側当接突部とが該蓋体に向かって突出するように設けられている構成としてもよい。
【００１９】
かかる構成にあっては、前記上側当接突部が上側の蓋体内カール部に当接し、かつ、前記下側当接突部が下側の蓋体内カール部に当接することにより、前記天頂パーツが該蓋体に対して上下方向において位置決めされることとなる。このため、相互が脱離してしまうことを防止することができる。なお、かかる構成は、例えば、接着剤等を用いることなく該蓋体側壁部と該天頂パーツとを組み付けることができる。
【００２０】
また、前記蓋体側壁部には、前記小径側壁部の外周面が臨む視認可能部が設けられ、該視認可能部を介して前記外周面が蓋体の外部から視認可能となっている構成が提案される。
【００２１】
かかる構成にあっては、前記視認可能部から前記小径側壁部の外周面が外部から視認可能となるため、例えば、該小径側壁部の外周面に装飾を施して前記蓋体側壁部に施された装飾と合わせて奥行き感のある立体的な装飾とすることができる。また、例えば、小径側壁部の外周面にさらに内部が視認可能な視認可能部を設けた場合には、前記の利点に加えて内容物を視認可能部を介して視認可能とする構造も実現できる。
【００２２】
さらにこれまでに述べた構成にあって、前記容器が上下に積み重ねられた状態で、上側の容器の前記本体内カール部と、下側の容器の前記蓋体内カール部とが当接していてもよい。
【００２３】
かかる構成にあっては、前記容器が上下に積み重ねられたとき、前記容器のなかで強度の高いカール部分がそれぞれ当接することによって安定性が更に向上し、多数の容器を上下に積み重ねても崩れるおそれを更に低減することができる。
【発明の効果】
【００２４】
本発明にかかる容器は、コスト高となることを抑制しつつ、上下に積み重ねた際の安定性に優れるという効果がある。
【図面の簡単な説明】
【００２５】
【図１】実施例１にかかる紙製容器の外観斜視図である。
【図２】実施例１にかかる紙製容器であって、（ａ）は縦断面図であり、（ｂ）は底パーツの縦断面図である。
【図３】実施例１にかかる紙製容器を上下に積み重ねた状態を示す縦断面図である。
【図４】実施例２にかかる紙製容器の外観斜視図である。
【図５】実施例２にかかる紙製容器の縦断面図である。
【図６】実施例２にかかる紙製容器を上下に積み重ねた状態を示す縦断面図である。
【図７】実施例３にかかる紙製容器の外観斜視図である。
【図８】実施例３にかかる紙製容器の縦断面図である。
【図９】実施例３にかかる紙製容器を上下に積み重ねた状態を示す縦断面図である。
【図１０】実施例４にかかる紙製容器の外観斜視図である。
【図１１】実施例４にかかる紙製容器であって、（ａ）は一部切欠縦断面図であり、（ｂ）は（ａ）のＡＢＣＤ線横断面図である。
【図１２】実施例５にかかる紙製容器の縦断面図である。
【図１３】実施例６にかかる容器の一部切欠縦断面図である。
【発明を実施するための形態】
【００２６】
以下に本発明を具体化した実施例を詳細に説明する。なお、本発明は、下記に示す実施例に限定されることはなく、適宜設計変更が可能である。また、容器を説明する際には、説明を簡便とするために上下方向を規定して説明しているが、本発明はかかる方向に限定して使用されるものではなく、いずれの使用形態でも本発明に含まれるものである。また、容器の内容物については図示を省略している。また、本発明を構成するために用いる紙製の筒状体は、シートを丸めた状態で両端を重ね合わせて作製するため、横断面視した際に重合部が形成されるが、説明を簡便とするため、重合部は図示省略している。
【００２７】
〔実施例１〕
実施例１の紙製容器１Ａを図１〜図３に従って説明する。
図１，図２に示すように、紙製容器１Ａは、紙製の容器本体１０Ａと、容器本体１０Ａの上側を被覆する紙製の蓋体２０Ａと、を具備している。
【００２８】
蓋体２０Ａは、筒状の蓋体側壁部２１を備えている。そして、蓋体側壁部２１の上端には、内カール加工されて構成された蓋体内カール部２２が形成されている。さらに、蓋体内カール部２２の内側には、板状の天板部２５が当接した状態で接合されている。
【００２９】
また、容器本体１０Ａは、筒状の容器本体側壁部１１と、容器本体側壁部１１の下端部に内嵌された底パーツ３０Ａと、を具備している。底パーツ３０Ａについては、後で詳しく説明する。
【００３０】
容器本体側壁部１１の下端には、内カール加工されて構成された下側本体内カール部１２が形成されている。一方、容器本体側壁部１１の上端には、内カール加工されて構成された上側本体内カール部１３が形成されている。
【００３１】
また、底パーツ３０Ａは、図２（ｂ）に示すように、筒状の小径側壁部３１と、板状の底板部３５とを有している。
【００３２】
さらに詳述すると、小径側壁部３１の下端には、内カール加工によって構成された底内カール部３２が形成されている。そして、小径側壁部３１の下端の底内カール部３２に、底板部３５が内側から当接して接合されている。
【００３３】
そして、このような底パーツ３０Ａの小径側壁部３１の上端部が、容器本体側壁部１１に差し入れられ、この小径側壁部３１の一部がこの容器本体側壁部１１の下端から露出して相互に固定されている。具体的には、小径側壁部３１の外周面と、容器本体側壁部１１の内周面との間の間隙に接着剤６１が充填されて相互が固着されている。
【００３４】
ここで、図２（ａ）に示すように、紙製容器１Ａにあっては、蓋体内カール部２２における蓋体側壁部２１の内寸ｄ１が、底内カール部３２における小径側壁部３１の外寸ｄ２以上（ｄ１≧ｄ２）となるように寸法設定されている。なお、勿論、ｄ１＞ｄ２でもよい。
【００３５】
上述した紙製容器１Ａを上下に積み重ねたとき、図３に示すように、上側の紙製容器１Ａの小径側壁部３１の底内カール部３２の下端の全周が、下側の紙製容器１Ａの蓋体２０Ａの天板部２５に当接する。これによって積み上げ時の安定性が向上し、上下に積み重ねられた紙製容器１Ａの山が崩れるおそれが大幅に低減される。
【００３６】
すなわち、上述した寸法の紙製容器１Ａにあっては、仮に底パーツ３０Ａを装着することなく上下に積み重ねると、上側の紙製容器１Ａの下側本体内カール部１２の下方に下側の紙製容器１Ａの蓋体内カール部２２が位置するため、相互に滑って安定性に劣り、非常に崩れ易いものとなる。しかし本実施例にあっては、上述のように、上側の紙製容器１Ａの小径側壁部３１の底内カール部３２の下端の全周が、下側の紙製容器１Ａの蓋体２０Ａの天板部２５に当接するため、かかる問題を好適に解消することができる。
【００３７】
さらに本実施例にあっては、図３のＸ部分に示すように、紙製容器１Ａを上下に積み重ねたとき、上側の紙製容器１Ａの本体内カール部１２と、下側の紙製容器１Ａの蓋体内カール部２２とが当接するような寸法に設定されている。これにより積み上げ時の安定性が更に向上する。
【００３８】
しかも紙製容器１Ａは、底板部３５が小径側壁部３１の下端に接合されているため、上げ底構造を有しておらず、容量に対して無駄のない材料で容器を作製できる。
【００３９】
〔実施例２〕
実施例２の紙製容器１Ｂを図４〜図６に従って説明する。なお、実施例１と同様の構成を有するものは同じ符号を付し、説明を省略する。
【００４０】
図４に示す外観の紙製容器１Ｂにあっては、図５に示すように、容器本体側壁部１１の内周面に沿って、内筒体１４が取り付けられている。
【００４１】
内筒体１４の上端は、容器本体側壁部１１の上端より上側に延出形成されており、内筒体１４の上端部が上向きに突き出されている。そして、蓋体２０Ｂの蓋体側壁部２１が、内筒体１４の上端部にガイドされながら外嵌されることで、蓋体２０Ｂは被着される。すなわち、紙製容器１Ｂはいわゆる印籠型の容器である。
【００４２】
また、蓋体内カール部２２における蓋体側壁部２１の内寸ｄ３は、底内カール部３２における小径側壁部３１の外寸ｄ４以上（ｄ３≧ｄ４）となるように寸法設定されている。勿論、ｄ３＞ｄ４でもよい。
【００４３】
図６に示すように、紙製容器１Ｂを上下に積み重ねたとき、上側の紙製容器１Ｂの小径側壁部３１の底内カール部３２の下端の全周が、下側の紙製容器１Ｂの蓋体２０Ｂの天板部２５に当接する。これによって上記実施例１と同様に、積み上げ時の安定性が向上する。
【００４４】
また、図６におけるＹ部分に示すように、紙製容器１Ｂにあっては、下側の紙製容器１Ｂの蓋体内カール部２２が、上側の紙製容器１Ｂの底パーツ３０Ｂの外周面に当接すると共に、上側の紙製容器１Ｂの下側本体内カール部１２にも当接するような寸法形状に定められている。このため、より一層、積み上げ時の安定性が向上する。
【００４５】
〔実施例３〕
実施例３の紙製容器１Ｃを図７〜図９に従って説明する。なお、実施例１，２と同様の構成を有するものは同じ符号を付し、説明を省略する。
【００４６】
紙製容器１Ｃは、図７，図８に示すように、紙製の容器本体１０Ｃと、容器本体１０Ｃの上側を被覆する紙製の蓋体２０Ｃと、を具備している。
【００４７】
さらに、蓋体２０Ｃは、筒状の蓋体側壁部２１の上端に内嵌された天頂パーツ４０Ｃを具備している。
【００４８】
天頂パーツ４０Ｃは、図８に示すように、筒状の小径側壁部４１と、板状の天板部４５と、を備えている。そして、小径側壁部４１の一部が蓋体側壁部２１の上端から露出した状態で蓋体側壁部２１の内面に接着剤６２によって接合されている。
【００４９】
また、下側本体内カール部１２における容器本体側壁部１１の内寸ｄ５は、天頂内カール部４２における小径側壁部４１の外寸ｄ６以上となる（ｄ５≧ｄ６）ように寸法設定されている。勿論、ｄ５＞ｄ６でもよい。
【００５０】
ここで、図９に示すように、紙製容器１Ｃを上下に積み重ねたとき、下側の紙製容器１Ｃの小径側壁部４１の天頂内カール部４２の上端の全周が、上側の紙製容器１Ｃの容器本体１０Ｃの底板部１５に当接する。これによって積み上げ時の安定性が向上する。
【００５１】
〔実施例４〕
実施例４の紙製容器１Ｄを図１０，図１１に従って説明する。なお、実施例１，２，３と同様の構成を有するものは同じ符号を付し、説明を省略する。
【００５２】
図１０に示す前記紙製容器１Ｄは、図１１に示すように、容器本体１０Ｄの容器本体側壁部１１の下端に下側本体内カール部１２が形成され、上端に上側本体内カール部１７が形成されている。また、容器本体側壁部１１の下部には、底パーツ３０Ｄが取り付けられている。
【００５３】
さらに、底パーツ３０Ｄの小径側壁部３１の下端には、内カール加工によって構成された底内カール部３２が形成され、小径側壁部３１の上端にも同様に、内カール加工によって構成された上内カール部３３が形成されている。なお、底パーツ３０Ｄにおける小径側壁部３１の高さ寸法は、例えば実施例１における底パーツ３０Ｄにおける小径側壁部３１よりも大幅に大きくした寸法とされ、上内カール部３３と上側本体内カール部１７とがほぼ同じ高さ位置となっている。
【００５４】
また、底パーツ３０Ｄの小径側壁部３１には、図１１（ｂ）に示すように、周面から切り起こした上で、小径側壁部３１の中心軸から外方向に向かって折り返してなる上下一対の折り返し部３６ａ，３７ａが設けられている。なお、各折り返し部３６ａ，３７ａは、小径側壁部３１において互いにほぼ反対側の位置にそれぞれ配置されている。
【００５５】
そして、底パーツ３０Ｄが前記容器本体１０Ｄ内に差し入れられた状態で、図１１（ａ）に示すように、折り返し部３６ａ，３７ａが容器本体１０Ｄの内周面に弾接している。また、上側の折り返し部３６ａの上端が、上側本体内カール部１７の下端に当接し、下側の折り返し部３７ａの下端が、下側本体内カール部１２の上端に当接している。なお、折り返し部３６ａの上端により、上側当接突部３６が構成されている。また、折り返し部３７ａの下端により、下側当接突部３７が構成されている。
【００５６】
また、容器本体１０Ｄの容器本体側壁部１１には、小径側壁部３１の外周面が臨む貫通形状の視認可能部１６が設けられている。これにより、図１０に示すように、該視認可能部１６を通して小径側壁部３１の外周面に設けられた装飾面３９が視認可能となっている。
【００５７】
本実施例の紙製容器１Ｄにあっても、図１１（ａ）に示すように、蓋体内カール部２２における蓋体側壁部２１の内寸ｄ７が、底内カール部３２における小径側壁部３１の外寸ｄ８以上（ｄ７≧ｄ８）、あるいはｄ７＞ｄ８となるように寸法設定されている。従って、紙製容器１Ｄを上下に積み重ねたとき、上側の紙製容器１Ｄの小径側壁部３１の底内カール部３２の下端の全周が、下側の紙製容器１Ｄの蓋体２０Ｄの天板部２５に当接する。これによって積み上げ時の安定性が向上し、上下に積み重ねられた紙製容器１Ａの山が崩れるおそれが大幅に低減される。
【００５８】
また、上側当接突部３６が上側本体内カール部１７の下端と当接し、かつ、下側当接突部３７が下側本体内カール部１２の上端と当接するため、接着剤を用いることなく底パーツ３０Ｄが上下方向において位置決めされ、互いに脱離することなく組み付けられる。ここで、容器本体１０Ｄと底パーツ３０Ｄとは接着剤等によって固着されていないため、接着剤を塗布する工程や、塗布した接着剤を乾燥させる工程を省略することができ、コストを低く抑えることができる。また、接着剤がはみ出して不良品が発生してしまうおそれも低減することもでき、作業が簡便となる。加えて、折り返し部３６ａ，３７ａを指等で押さえ込みながら底パーツ３０Ｄを容器本体１０Ｄ内に差し込むだけで容器本体１０Ｄと底パーツ３０Ｄとを組み付けることができるため、作業効率が向上する利点がある。
【００５９】
また、容器本体１０Ｄに設けられた手前側の貫通孔からなる視認可能部１６から小径側壁部３１の奥側の装飾面３９が視認可能であるため、奥行き感のある立体的な装飾構造となって、見る者を楽しませることができる。
【００６０】
ところで、上記構成は、容器本体１０Ｄ及び底パーツ３０Ｄを周方向に相対回転させることができる。このため、底パーツ３０Ｄに対して外側にある容器本体１０Ｄを周方向に回動させることによって、視認可能部１６から視認できる装飾面３９を変化させて見栄えが変化する態様を楽しませるようにすることもできる。
〔実施例５〕
実施例５の紙製容器１Ｅを図１２に従って説明する。紙製容器１Ｅは、印籠型の図８に示す紙製容器１Ｃの変形態様である。なお、実施例１〜４と同様の構成を有するものは同じ符号を付し、説明を省略する。
【００６１】
図１２に示すように、紙製容器１Ｅの蓋体側壁部２１の上下両端には、内カール加工されてなる蓋体内カール部２２，２３が形成されている。
【００６２】
さらに、天頂パーツ４０Ｅの小径側壁部４１には、蓋体側壁部２１の上端の蓋体内カール部２２の下端に当接する上側当接突部３６と、蓋体側壁部２１の下端の蓋体内カール部２３の上端に当接する下側当接突部３７とが蓋体２０Ｅに向かって突出するように設けられている。
【００６３】
また、小径側壁部４１の下端部は、蓋体２０Ｅよりも下方へ差し出されており、蓋体２０Ｅを容器本体１０Ｅに被着した状態で、小径側壁部４１の下端部が容器本体１０Ｅの上端開口にガイドされながら差し入れられる構造となっている。
【００６４】
かかる構成にあっては、上側当接突部３６と下側当接突部３７との位置決め作用により、接着剤を用いることなく、天頂パーツ４０Ｅが蓋体２０Ｅに対して脱離してしまうことを防止することができる。
【００６５】
また、図示は省略するが、蓋体側壁部２１に、貫通孔等の視認可能部１６を設けて、視認可能部１６を介して小径側壁部４１の外周面が外部から視認可能となる構成としてもよい。かかる構成とすることにより、奥行き感のある立体的な装飾が得られる。また、天頂パーツ４０Ｅの下端には内カール加工がされていてもよいし、されていなくてもよい。
【００６６】
〔実施例６〕
実施例６の容器１Ｆを図１３に従って説明する。容器１Ｆは、図１０に示す紙製容器１Ｄの変形態様である。なお、実施例１〜５と同様の構成を有するものは同じ符号を付し、説明を省略する。
【００６７】
図１３に示すように、容器１Ｆは、紙製部材を主体とし、かつ、容器本体側壁部１１の一部に、紙製とは異なる異素材で構成された視認可能部５６が形成されている。具体的に視認可能部５６は、プラスチック製の透明シート材で作製されており、かかる透明シート材からなる筒状体によって容器本体側壁部１１の中央部が構成されている。
【００６８】
また、底パーツ３０Ｆの小径側壁部３１には、貫通形状の視認可能部６６が形成されている。
【００６９】
かかる構成にあっては、奥行き感のある立体的な装飾を容器１Ｆに設けることができると共に、内容物（商品）を外部から視認可能とすることもでき、従来にない斬新な構造も実現できる。
【００７０】
上記実施例以外にも、各部の寸法形状は適宜自由に選択可能である。例えば、容器１Ａ〜１Ｆを構成する紙管の横断面形状は、円形状に限らず、楕円形状、又は多角形状等であっても構わない。
【００７１】
また、底パーツ３０Ａ，３０Ｂを容器本体側壁部１１に固定するための接着剤６１や、天頂パーツ４０Ｃを容器本体側壁部１１に固定するための接着剤６２は、容器本体側壁部１１の全周にわたって形成する必要はなく、各部が離脱することなく固定されるものであれば部分的であってもよい。
【００７２】
また、底パーツ３０Ａ，３０Ｂを容器本体側壁部１１に固定するための手段や、天頂パーツ４０Ｃを容器本体側壁部１１に固定する手段は、接着に限定されることはなく、例えば帯状の紙シートを、底パーツ３０Ａ，３０Ｂと容器本体側壁部１１との間隙や、天頂パーツ４０Ｃと容器本体側壁部１１との間隙に圧入して相互を固定するようにしてもよい。
【００７３】
また、底パーツ３０Ａの上端又は底パーツ３０Ｂの下端に内カール部を形成し、底パーツ３０Ａ，３０Ｂを装着した状態で、当該内カール部を容器本体１０Ａ〜１０Ｃの他の内カール部に当接させるようにしてもよい。
【００７４】
また、底パーツ３０Ｄにおいて、上側当接突部３６及び下側当接突部３７は、小径側壁部３１に切り込みを入れて折り返し部を設けることによって形成するものが望ましいが、他の形状であっても構わない。また、上側当接突部３６及び下側当接突部３７を複数の折り返し部で構成してもよいし、単体の折り返し部で構成してもよい。
【００７５】
また、容器本体１０Ｄにおいて、視認可能部１６は１個に限らず複数個設けられていても構わない。例えば、視認可能部１６を複数個設ける場合、上下位置を等しく設定してもよいし、互いに上下位置を異ならせて、それぞれ異なる装飾面３９が視認できる構成としてもよい。また、視認可能部１６の形状も円形に限らず他の形状であっても構わない。同様に、視認可能部５６，６６の個数や形状・位置・面積等は適宜変更可能である。
【符号の説明】
【００７６】
１Ａ，１Ｂ，１Ｃ，１Ｄ，１Ｅ            紙製容器
１Ｆ                                    容器
１０Ａ，１０Ｂ，１０Ｃ，１０Ｄ，１０Ｅ  容器本体
１１                                    容器本体側壁部
１２                                    下側本体内カール部（本体内カール部）
１５，３５                              底板部
１６，５６                              視認可能部
１７                                    上側本体内カール部（本体内カール部）
２０Ａ，２０Ｂ，２０Ｃ，２０Ｄ，２０Ｅ  蓋体
２１                                    蓋体側壁部
２２                                    蓋体内カール部
２５，４５                              天板部
３０Ａ，３０Ｂ、３０Ｄ，３０Ｆ          底パーツ
３１，４１                              小径側壁部
３２                                    底内カール部
３６                                    上側当接突部
３７                                    下側当接突部
４０Ｃ，４０Ｅ                          天頂パーツ
４２                                    天頂内カール部
【図１】
0006647068.tif 000002
【図２】
0006647068.tif 000003
【図３】
0006647068.tif 000004
【図４】
0006647068.tif 000005
【図５】
0006647068.tif 000006
【図６】
0006647068.tif 000007
【図７】
0006647068.tif 000008
【図８】
0006647068.tif 000009
【図９】
0006647068.tif 000010
【図１０】
0006647068.tif 000011
【図１１】
0006647068.tif 000012
【図１２】
0006647068.tif 000013
【図１３】
0006647068.tif 000014